(57)【要約】  【課題】  予め適宜脱水した処理汚泥を乾燥用容器にできる限り平らに均した状態に薄く搬入できる乾燥用容器への処理汚泥の自動搬入方法を提供する。  【解決手段】  処理汚泥９が集積される集積ホッパー５から該集積ホッパーの下方に配置される乾燥用容器１に搬入し、搬入後、均し部材７で乾燥用容器１上の処理汚泥９の上面を平らに均す。【選択図】      図２
2007160212.tif 000002
【特許請求の範囲】
【請求項１】
予め適宜脱水処理された処理汚泥を乾燥用容器に搬入する乾燥用容器への処理汚泥の自動搬入方法であって、
処理汚泥が集積される集積ホッパーから該集積ホッパーの下方に配置される前記乾燥用容器に搬入し、搬入後、均し部材で前記乾燥用容器上の処理汚泥の上面を平らに均すことを特徴とする、乾燥用容器への処理汚泥の自動搬入方法。
【請求項２】
予め適宜脱水処理された処理汚泥を乾燥用容器に搬入する乾燥用容器への処理汚泥の自動搬入装置であって、
処理汚泥が集積される集積ホッパーと、前記乾燥用容器を前記集積ホッパーの下方位置である搬入作業定位置から退く退去位置に搬送する乾燥用容器搬送装置と、退去位置にある前記乾燥用容器の上方で平行移動して前記乾燥用容器上の処理汚泥の上面を平らに均す均し部材と、を備えていることを特徴とする、乾燥用容器への処理汚泥の自動搬入装置。
【請求項３】
予め適宜脱水処理された処理汚泥を乾燥用容器に搬入する乾燥用容器への処理汚泥の自動搬入装置であって、
処理汚泥が集積される集積ホッパーと、前記乾燥用容器を前記集積ホッパーの下方位置である搬入作業定位置から退く退去位置に搬送する乾燥用容器搬送装置と、前記乾燥用容器の退去ラインの上方定位置に設置され、前記乾燥用容器が退去するに伴い該乾燥用容器上の処理汚泥の上面を平らに均す均し部材と、を備えていることを特徴とする、乾燥用容器への処理汚泥の自動搬入装置。
【発明の詳細な説明】
【技術分野】
【０００１】
本発明は、天日乾燥による汚泥脱水乾燥装置に使用される乾燥用容器に、予め適宜脱水処理された処理汚泥を自動搬入する方法および装置に関する。
【背景技術】
【０００２】
浄水場や下水処理場、あるいは河川、ため池などで発生する汚泥を天日乾燥させるための汚泥脱水乾燥装置として、先に同一出願人により、図６に示すように、複数の乾燥棚２１〜２４を上下に所定間隔を置いて数段階に重合配置し、乾燥棚２１〜２４の両端部に汚泥を収容する乾燥用容器（濾過容器）２０を各段の乾燥棚の高さまで昇降させるリフター装置２５Ｌ，２５Ｒを配置させて、汚泥入り乾燥用容器２０を下段の乾燥棚から上段の乾燥棚へリフター装置２５Ｌ，２５Ｒにより順次移動させながら天日乾燥できるようにしたものを提案した（例えば、特許文献１参照。）。
【０００３】
【特許文献１】特許第３６１６７３８号公報
【発明の開示】
【発明が解決しようとする課題】
【０００４】
しかるに、上記のような多段式の汚泥脱水乾燥装置では、複数の乾燥棚２１〜２４を上下に数段階に重合配置するため、大量汚泥を天日乾燥する場合にも敷地面積の有効利用を図れるが、水中から汲み上げられた含水率９５〜９７％の高含水汚泥を天日乾燥させるため、天日乾燥日数が長くかかるという問題がある。そこで、この多段式の汚泥脱水乾燥装置で天日乾燥させるに先立ち、脱水機械等で含水率９５〜９７％の高含水汚泥を８２〜８６％程度にまで脱水処理したうえで、この処理汚泥を乾燥用容器２０に搬入してこれを多段式の汚泥脱水乾燥装置に移すことにより天日乾燥させることが、天日乾燥日数を短縮化することができて望ましい。
しかしながら、そうした場合、問題となるのは、予め脱水処理した汚泥も乾燥用容器２０に山、谷のある凸凹状態や山盛り状態に搬入させては汚泥層中心部まで乾燥させる日数が多くかかり、所期の乾燥日数短縮目的を達成できないことになる。
【０００５】
本発明の目的は、予め適宜脱水処理した汚泥を乾燥用容器にできる限り均一に均した状態に薄く収容できる乾燥用容器への処理汚泥の自動搬入方法および自動搬入装置を提供することにある。
【課題を解決するための手段】
【０００６】
本発明の請求項１に係る発明は、予め適宜脱水処理された処理汚泥を乾燥用容器に搬入する乾燥用容器への処理汚泥の自動搬入方法であって、処理汚泥が集積される集積ホッパーから該集積ホッパーの下方に配置される前記乾燥用容器に搬入し、搬入後、均し部材で前記乾燥用容器上の処理汚泥の上面を平らに均すことに特徴を有するものである。
【０００７】
本発明の請求項２に係る発明は、予め適宜脱水処理された処理汚泥を乾燥用容器に搬入する乾燥用容器への処理汚泥の自動搬入装置であって、処理汚泥が集積される集積ホッパーと、前記乾燥用容器を前記集積ホッパーの下方位置である搬入作業定位置から退く退去位置に搬送する乾燥用容器搬送装置と、退去位置にある前記乾燥用容器の上方で平行移動して前記乾燥用容器上の処理汚泥の上面を平らに均す均し部材と、を備えていることに特徴を有するものである。
【０００８】
この場合、均し部材を平行移動させるに代えて、請求項３記載の発明のように、均し部材は前記乾燥用容器の退去ラインの上方定位置に設置して、前記乾燥用容器が退去するに伴い該乾燥用容器上の処理汚泥の上面を平らに均すようにすることもできる。
【発明の効果】
【０００９】
本発明の請求項１、２、３に記載の発明によれば、乾燥用容器に集積ホッパー内の処理汚泥を搬入後、均し部材で乾燥用容器上の処理汚泥の上面を平らに均すので、処理汚泥を乾燥用容器に略均一に均した状態に薄く収容でき、少ない乾燥日数で効率良く天日乾燥することができる。
【００１０】
請求項２、３に記載の発明によれば、乾燥用容器上の処理汚泥の上面を均し部材で確実に平らに均すことができる。
【発明を実施するための最良の形態】
【００１１】
本発明の好適な実施形態を図面に基づき説明する。図１は本発明の方法を実施できる自動搬入装置の正面図、図２（ａ），（ｂ），（ｃ）は図１の自動搬入装置の作動説明図、図３は乾燥用容器の分解斜視図、図４は他の実施例の自動搬入装置の正面図、図５（ａ），（ｂ）は図４の自動搬入装置の作動説明図である。
【００１２】
（請求項１，２に対応する第１実施例）
本発明の乾燥用容器への処理汚泥の自動搬入方法は、例えば図３図に示すような乾燥用容器１を使用する。この乾燥用容器１は、砂の通過を阻止し且つ水及び空気の通過を許容する濾布２が上面開放状の多孔容器本体３の内部に敷設されてなる。多孔容器本体３は、細い鉄筋で大きい篭目を形成するよう四角形の浅い皿状に編組して作った籠や、透明なプラスチック材で多数の孔を有する四角形の浅い皿形状に成形したものなどからなる。濾過容器１の大きさや形状は、特に限定されないが、例えば、縦２ｍ、横３ｍ、高さ２０ｃｍ程度の大きさのものを使用する。
【００１３】
本発明に係る乾燥用容器への処理汚泥の自動搬入方法は、予め、脱水機等で含水率８２〜８６％程度にまで脱水処理された処理汚泥を、次のような自動搬入装置を用いて乾燥用容器１に自動搬入する。
すなわち、本発明に係る乾燥用容器への処理汚泥の自動搬入装置は、図１に示すように、処理汚泥が集積される集積ホッパー５と、乾燥用容器１を集積ホッパー５の下方位置である搬入作業定位置Ａから退く退去位置Ｂに搬送するコンベア等による乾燥用容器搬送装置６と、退去位置Ｂにある乾燥用容器１の上方で該乾燥用容器１の前端部上方のＣ位置と後端部上方のＤ位置との間で平行に往復移動する均し部材７とを備える。集積ホッパー５の下部には排出口５ａが設けられ、この排出口５ａはシャッター１０で開閉される。
【００１４】
かくして、図２（ａ）のように集積ホッパー５のシャッター１０を開けて排出口５ａから処理汚泥９を搬入作業定位置Ａにある乾燥用容器１の上に搬入する。搬入後、図２（ｂ）のように処理汚泥９の積み込まれた乾燥用容器１を乾燥用容器搬送装置６により退去位置Ｂにまで搬送させる。搬送後、図２（ｃ）のように均し部材７をＣ位置からＤ位置に平行移動させることにより乾燥用容器１上の処理汚泥９の上面を平らに均す。
【００１５】
上記のように処理汚泥９が平らに均した状態に収容された乾燥用容器１は、図６に示す汚泥脱水乾燥装置のリフター装置２５Ｌに移載して天日乾燥に供すると、少ない乾燥日数で効率良く天日乾燥することができる。
【００１６】
（請求項３に対応する第２実施例）
第２実施例を示す図４では、均し部材７を乾燥用容器１の退去ラインの上方定位置Ｅに設置して、乾燥用容器１が搬入作業定位置Ａから退去位置Ｂに退去するに伴い該乾燥用容器１上の処理汚泥９の上面を平らに均すようにすること以外は、上記第１実施例の自動搬入装置と同様に、処理汚泥が集積される集積ホッパー５と、乾燥用容器１を集積ホッパー５の下方位置である搬入作業定位置Ａから退く退去位置Ｂに搬送するコンベア等による乾燥用容器搬送装置６とを備える。
【００１７】
かくして、図５（ａ）のように集積ホッパー５のシャッター１０を開けて排出口５ａから処理汚泥９を搬入作業定位置Ａにある乾燥用容器１の上に搬入する。搬入後、図５（ｂ）のように処理汚泥９の積み込まれた乾燥用容器１を乾燥用容器搬送装置６により退去位置Ｂにまで搬送させるに伴い均し部材７で乾燥用容器１上の処理汚泥９の上面が平らに均される。
【００１８】
このように処理汚泥９が平らに均した状態に収容された乾燥用容器１は、上記第１実施例の場合と同様に、図６に示す汚泥脱水乾燥装置のリフター装置２５Ｌに移載して天日乾燥に供する。すると、少ない乾燥日数で効率良く天日乾燥することができる。
【図面の簡単な説明】
【００１９】
【図１】本発明の方法を実施できる自動搬入装置の正面図である。
【図２】（ａ），（ｂ），（ｃ）は図１の自動搬入装置の作動説明図である。
【図３】乾燥用容器の分解斜視図である。
【図４】他の実施例の自動搬入装置の正面図である。
【図５】（ａ），（ｂ）は図４の自動搬入装置の作動説明図である。
【図６】従来例の汚泥脱水乾燥装置の正面図である。
【符号の説明】
【００２０】
１  乾燥用容器
５  集積ホッパー
６  乾燥用容器搬送装置
７  均し部材
９  処理汚泥
【図１】
2007160212.tif 000003
【図２】
2007160212.tif 000004
【図３】
2007160212.tif 000005
【図４】
2007160212.tif 000006
【図５】
2007160212.tif 000007
【図６】
2007160212.tif 000008